(57)【要約】      （修正有）【課題】掛止したベルトに対して位置ズレしにくく、且つ商品名やメーカー名などを表示した広告表示体を簡易に付設可能となるベルト装着用工具差しを提供する。【解決手段】ベルト取付部２は、ベルトの表面側に配設する表側板部５と、ベルトの裏面側に配設する裏側板部６とが上部で連設した逆Ｕ字状板で構成する。このベルト取付部２の表側板部５の内側面に、この表側板部５の外側面を凹ませることで内側面を突出させた表側突起部を形成する。さらに、前記裏側板部６の内側面に、この裏側板部６の外側面を凹ませることで内側面を突出させた裏側突起部を形成し、前記表側板部５の外側面の凹所９に、商品名やメーカー名などの広告を表示した広告表示体１１を付設する。【選択図】図１
0003171947.tif 000002
【実用新案登録請求の範囲】
【請求項１】
作業者が装着するベルトに対して取付可能なベルト取付部に、工具が差し込まれて吊り下げられる工具吊り部を設けたベルト装着用工具差しにおいて、前記ベルト取付部は、前記ベルトの表面側に配設する表側板部と、ベルトの裏面側に配設する裏側板部とが上部で連設した逆Ｕ字状板で構成して、このベルト取付部をベルトに上方から被嵌してベルトの上縁部に掛止すると共に表側板部と裏側板部とでベルトを挟み込むことによりベルトに対して取付可能な構成とし、このベルト取付部の前記表側板部の内側面に、この表側板部の外側面を凹ませることで内側面を突出させた表側突起部を形成するか、若しくはベルト取付部の前記裏側板部の内側面に、この裏側板部の外側面を凹ませることで内側面を突出させた裏側突起部を形成して、この表側突起部若しくは裏側突起部が前記ベルトの表面若しくは裏面に圧接する構成とし、前記表側板部の外側面の凹所若しくは前記裏側板部の外側面の凹所に、商品名やメーカー名などの広告を表示した広告表示体を付設したことを特徴とするベルト装着用工具差し。
【請求項２】
前記表側板部の外側面を平坦面状に凹ませることで内側面を平坦面状に突出させた前記表側突起部を形成し、この表側板部の外側面の平坦面状の前記凹所に、商品名やメーカー名などの広告を表示した前記広告表示体を付設したことを特徴とする請求項１記載のベルト装着用工具差し。
【請求項３】
前記ベルト取付部の前記表側板部の内側面に、この表側板部の外側面を凹ませることで内側面を突出させた前記表側突起部を形成し、この表側突起部と対向状態にして前記裏側板部の内側面に、この裏側板部の外側面を凹ませることで内側面を突出させた前記裏側突起部を形成し、この表側突起部と裏側突起部の対向間隔を、前記ベルトの厚みより小さく設定して、この対向する表側突起部と裏側突起部とが前記ベルトの表裏面に圧接する構成としたことを特徴とする請求項１，２のいずれか１項に記載のベルト装着用工具差し。
【請求項４】
前記ベルト取付部の左右両側に、前記ベルトを挿通させるベルト通し孔を形成したことを特徴とする請求項１〜３のいずれか１項に記載のベルト装着用工具差し。
【請求項５】
前記ベルト通し孔は、前記ベルト取付部の上下方向に長さを有する長孔形状に形成し、このベルト通し孔の下部に、このベルト通し孔に前記ベルトを挿通させた状態で工具落下防止紐を連結可能な幅広連結孔部を設けたことを特徴とする請求項４記載のベルト装着用工具差し。
【考案の詳細な説明】
【技術分野】
【０００１】
本考案は、建設現場や工事現場などで作業者が工具を携帯するために腰ベルトなどに装着するベルト装着用工具差しに関するものである。
【背景技術】
【０００２】
従来のこの種工具差しは、ベルト取付板の左右部にベルト通し孔が設けられていて、この左右のベルト通し孔にベルトを通すことでベルトに装着できる構成であった。
【０００３】
しかしながら、このベルト通し孔へのベルト通し作業は、作業者がベルト締めした状態（バックル止めした状態）でベルトをバックルから外して行う必要がある上、ベルト通し孔へのベルト通し作業終了後には、再度ベルトをバックル止めしなければならないので、煩わしい作業であった。
【０００４】
そこで、従来、ベルト取付部を逆Ｕ字状に形成して、ベルトに対して上方から掛止めるようにして取付できる構成の下記特許文献１が提案されており、この特許文献１によれば、作業者がベルト締めした状態のままでもベルトに対して取付できるので、非常に実用的である。
【先行技術文献】
【特許文献】
【０００５】
【特許文献１】登録実用新案第３１０７９９９号公報
【考案の概要】
【考案が解決しようとする課題】
【０００６】
本考案は、上記特許文献１のようなベルトに対して掛止できる工具差しの改良に係るもので、掛止したベルトに対して位置ズレしにくい突起部を具備する構造であって、且つこの突起部の形成によって生じる凹所を利用して商品名やメーカー名などの広告を表示した広告表示体を付設できる簡易構造のベルト装着用工具差しを提案するものである。
【課題を解決するための手段】
【０００７】
添付図面を参照して本考案の要旨を説明する。
【０００８】
作業者が装着するベルト１に対して取付可能なベルト取付部２に、工具３が差し込まれて吊り下げられる工具吊り部４を設けたベルト装着用工具差しにおいて、前記ベルト取付部２は、前記ベルト１の表面側に配設する表側板部５と、ベルト１の裏面側に配設する裏側板部６とが上部で連設した逆Ｕ字状板で構成して、このベルト取付部２をベルト１に上方から被嵌してベルト１の上縁部に掛止すると共に表側板部５と裏側板部６とでベルト１を挟み込むことによりベルト１に対して取付可能な構成とし、このベルト取付部２の前記表側板部５の内側面に、この表側板部５の外側面を凹ませることで内側面を突出させた表側突起部７を形成するか、若しくはベルト取付部２の前記裏側板部６の内側面に、この裏側板部６の外側面を凹ませることで内側面を突出させた裏側突起部８を形成して、この表側突起部７若しくは裏側突起部８が前記ベルト１の表面若しくは裏面に圧接する構成とし、前記表側板部５の外側面の凹所９若しくは前記裏側板部６の外側面の凹所10に、商品名やメーカー名などの広告を表示した広告表示体11を付設したことを特徴とするベルト装着用工具差しに係るものである。
【０００９】
また、前記表側板部５の外側面を平坦面状に凹ませることで内側面を平坦面状に突出させた前記表側突起部７を形成し、この表側板部５の外側面の平坦面状の前記凹所９に、商品名やメーカー名などの広告を表示した前記広告表示体11を付設したことを特徴とする請求項１記載のベルト装着用工具差しに係るものである。
【００１０】
また、前記ベルト取付部２の前記表側板部５の内側面に、この表側板部５の外側面を凹ませることで内側面を突出させた前記表側突起部７を形成し、この表側突起部７と対向状態にして前記裏側板部６の内側面に、この裏側板部６の外側面を凹ませることで内側面を突出させた前記裏側突起部８を形成し、この表側突起部７と裏側突起部８の対向間隔を、前記ベルト１の厚みより小さく設定して、この対向する表側突起部７と裏側突起部８とが前記ベルト１の表裏面に圧接する構成としたことを特徴とする請求項１，２のいずれか１項に記載のベルト装着用工具差しに係るものである。
【００１１】
また、前記ベルト取付部２の左右両側に、前記ベルト１を挿通させるベルト通し孔12を形成したことを特徴とする請求項１〜３のいずれか１項に記載のベルト装着用工具差しに係るものである。
【００１２】
また、前記ベルト通し孔12は、前記ベルト取付部２の上下方向に長さを有する長孔形状に形成し、このベルト通し孔12の下部に、このベルト通し孔12に前記ベルト１を挿通させた状態で工具落下防止紐13を連結可能な幅広連結孔部15を設けたことを特徴とする請求項４記載のベルト装着用工具差しに係るものである。
【考案の効果】
【００１３】
本考案は上述のように構成したから、作業者がベルト締め状態を解除するような手間なく、ベルトに上方から掛止めるようにしてベルト取付部を簡単に取付できると共に、ベルト取付部の表側突起部若しくは裏側突起部がベルトの表面若しくは裏面に圧接するから、ベルト取付部のベルトの長さ方向への位置ズレや、上方（ベルトに対して抜け外れる方向）への位置ズレを生じにくく適切な取付位置に保持されることになり、しかも、この表側突起部若しくは裏側突起部は、表側板部の外側面を凹ませることで内側面を突出させるか若しくは裏側板部の外側面を凹ませることで内側面を突出させて形成したため、この構成は、部品点数を増やすことなく例えば表側板部若しくは裏側板部にプレス加工を施すような簡易な手法によって容易に設計実現可能であり、その上、本考案は、この表側突起部若しくは裏側突起部を形成したことによって生じる反対側（外側面）の凹所に、商品名やメーカー名などの広告を表示した広告表示体を付設したから、商品価値の高いベルト装着用工具差しとなる上、この凹所に対して広告表示体を簡単に位置決めして付設できると共に、広告表示体を凹所に体裁良く付設できるなど、極めて実用性に優れたベルト装着用工具差しとなる。
【００１４】
また、請求項２記載の考案においては、平坦面状の凹所に対して広告表示体を簡易に取付でき、しかも、ベルトにベルト取付部を取付した状態でも、広告表示体が表出して視認できる一層実用性に優れたベルト装着用工具差しとなる。
【００１５】
また、請求項３記載の考案においては、表側突起部と裏側突起部の双方がベルトの表裏面に圧接することによって一層良好な位置ズレ防止効果が得られる実用性に優れたベルト装着用工具差しとなる。
【００１６】
また、請求項４記載の考案においては、ベルト取付部の左右部のベルト通し孔にベルトを挿通させる従来と同様の取付け方でベルトに脱落不能状態で取付することもでき、従って使用する作業者の好みや作業内容などに応じて、ベルトへの取付形態を選択使用できる一層実用性に優れたベルト装着用工具指しとなる。
【００１７】
また、請求項５記載の考案においては、ベルト通し孔にベルトを挿通する取付形態を選択した場合に、ベルトを邪魔にすることなく幅広連結孔部に工具落下防止紐を連結でき、この工具落下防止紐により工具の落下防止安全性を確保することが可能となる一層実用性に優れたベルト装着用工具差しとなる。
【図面の簡単な説明】
【００１８】
【図１】本実施例を示す広告表示体を分解した斜視図である。
【図２】本実施例を示す図１とは別方向からの斜視図である。
【図３】本実施例のベルト取付部を、ベルトに掛止することによって取付した場合を示す説明側面図である。
【図４】本実施例のベルト取付部を、ベルト取付部の左右部のベルト通し孔にベルトを挿通させることによって取付した場合の使用状態を示す説明斜視図である。
【考案を実施するための形態】
【００１９】
好適と考える本考案の実施形態を、図面に基づいて本考案の作用を示して簡単に説明する。
【００２０】
ベルト１の表面側に配設する表側板部５と、ベルト１の裏面側に配設する裏側板部６とが上部で連設した構成のベルト取付部２（逆Ｕ字状板）を、作業者が装着しているベルト１に対して上方から被嵌してベルト１の上縁部に掛止すると共に表側板部５と裏側板部６とでベルト１を挟み込むことによりベルト１に対して取付する。
【００２１】
すると、表側板部５の内側面の表側突起部７若しくは裏側板部６の内側面の裏側突起部８が、前記ベルト１の表面若しくは裏面に圧接するので、ベルト１に対するベルト取付部２の位置ズレ防止効果が発揮されることになる。
【００２２】
従って、ベルト１の締付状態を解除するような手間を要せずに、作業者が装着しているベルト１に上方から掛止めるようにして簡単に取付できる上に、ベルト１への取付時には、ベルト取付部２のベルト１長さ方向へ位置ズレや、上方（ベルト１に対して抜け外れる方向）への位置ズレを生じにくく、適切な取付位置に保持されることになる。
【００２３】
このようにしてベルト１に取付した本工具差しの工具吊り部４に、工具３を差し込んで吊り下げることにより、建設現場や工事現場などで作業者が工具３を携帯できる。
【００２４】
また、ベルト取付部２の表側板部５に設けられる表側突起部７若しくは裏側板部６に設けられる裏側突起部８は、表側板部５の外側面を凹ませることで内側面を突出させるか若しくは裏側板部６の外側面を凹ませることで内側面を突出させて形成しているので、この構成は、突起形成用の新たな部品を要することなく、例えば金属性の表側板部５若しくは裏側板部６にプレス加工を施すような簡易な手法によって容易に表側突起部７若しくは裏側突起部８を一体成形可能である。
【００２５】
また、本考案では、この表側突起部７を形成したことによって生じる反対側（外側面）の凹所９、若しくは裏側突起部８を形成したことによって生じる反対側（外側面）の凹所10に、商品名やメーカー名などの広告を表示した広告表示体11を付設して商品価値を高めている。
【００２６】
従って、凹所９若しくは凹所10に対して広告表示体11を簡単に位置決めして付設することができ、しかも広告表示体11を凹所９若しくは凹所10に納まり良く付設できるので、体裁の好い広告表示体11付のベルト装着用工具差しが簡易に設計実現可能となる。
【００２７】
また、例えば、前記表側板部５の外側面を平坦面状に凹ませることで内側面を平坦面状に突出させた前記表側突起部７を形成し、この表側板部５の外側面の平坦面状の前記凹所９に、商品名やメーカー名などの広告を表示した前記広告表示体11を付設した場合には、平坦面状の凹所９に対して広告表示体11を簡易に且つ安定的に取付可能である。また、取付ベルト１にベルト取付部２を取付した際に、表側板部５の外側面から広告表示体11が表出して視認できる。
【００２８】
また、例えば、前記ベルト取付部２の前記表側板部５の内側面に、この表側板部５の外側面を凹ませることで内側面を突出させた前記表側突起部７を形成し、この表側突起部７と対向状態にして前記裏側板部６の内側面に、この裏側板部６の外側面を凹ませることで内側面を突出させた前記裏側突起部８を形成し、この表側突起部７と裏側突起部８の対向間隔を、前記ベルト１の厚みより小さく設定して、この対向する表側突起部７と裏側突起部８とが前記ベルト１の表裏面に圧接する構成とした場合には、ベルト取付部２をベルト１に対して上方から被嵌取付すると、表側突起部７と裏側突起部８の双方がベルト１の表裏面に圧接して極めて良好な位置ズレ防止効果を発揮することになる。
【００２９】
また、例えば、前記ベルト取付部２の左右両側に、前記ベルト１を挿通させるベルト通し孔12を形成した場合には、従来品と同様にベルト取付部２の左右部のベルト通し孔12にベルト１を挿通させることでベルト１に取付することができる。また、このベルト通し孔12にベルト１を挿通して取付すると、ベルト１のバックルを脱着する手間はあるものの、確実にベルト１から脱落しない状態で取付できる。従って、使用する作業者の好みや作業内容などに応じて、ベルト１に被嵌取付する形態と、ベルト通し孔12にベルト通しして取付する形態とを選択できる。
【００３０】
また、例えば、前記ベルト通し孔12は、前記ベルト取付部２の上下方向に長さを有する長孔形状に形成し、このベルト通し孔12の下部に、このベルト通し孔12に前記ベルト１を挿通させた状態で工具落下防止紐13を連結可能な幅広連結孔部15を設けた場合には、ベルト通し孔12にベルト１を挿通したベルト１への取付状態であっても、ベルト１が邪魔にならずに工具落下防止紐13を連結できるので、工具落下防止紐13による工具２の落下防止安全性を確保できる。
【実施例】
【００３１】
本考案の具体的な実施例について図面に基づいて説明する。
【００３２】
本実施例のベルト装着用工具差しは、作業者が装着するベルト１に対して取付可能なベルト取付部２に、工具３が差し込まれて吊り下げられる工具吊り部４を設けている。また、図示した工具吊り部４は、小径な二個の第一リング４Ａと、この第一リング４Ａより径大な一個の第二リング４Ｂとを、溶接などの接合手段により接合した構成とし、この第一リング４Ａと第二リング４Ｂとにハンマーなどの工具２を差し込んで吊り下げできる構成としている（図４参照）。
【００３３】
本実施例のベルト取付部２は、図１，図２に示すように、ベルト１の表面側に配設する表側板部５と、ベルト１の裏面側に配設する裏側板部６とが上部で連設した逆Ｕ字状板で構成して、このベルト取付部２をベルト１に上方から被嵌してベルト１の上縁部に掛止すると共に表側板部５と裏側板部６とでベルト１を挟み込むことによりベルト１に対して取付可能な構成としている。
【００３４】
更に具体的には、表側板部５を縦長の方形金属板で構成し、裏側板部６を前記表側板部５より細長い縦長の方形金属板で構成し、この裏側板部６の上部を、側面視で逆Ｕ字状に折り返し折曲して、この上部の折曲先端板部を表側板部５の上部裏面側に重合止着（リベット16止め）することにより、表側板部５と裏側板部６とが上部で連設した逆Ｕ字状板となる構成としている。
【００３５】
また、表側板部５の下部には、前記工具吊り部４を溶接などの接合手段により接合し、左右両端部には、上下方向に長さを有するスリット12を貫通形成してこの左右のスリット12を前記ベルト１を挿通可能なベルト通し孔12としている。
【００３６】
即ち、本実施例は、従来品と同様に、表側板部５の左右部のベルト通し孔12にベルト１を挿通させることによってベルト１にベルト取付部２を取付することもできる構成としている。
【００３７】
また、表側板部５は、左右のベルト通し孔12間に存する中央側板部が、各ベルト通し孔12より外側に存する端側板部より前方（表側板部５の表面側）へ突出する形状にプレス加工して、この中央側板部と端側板部とに段差を生じる構成としている。従って、この段差部分に存するベルト通し孔12には、ベルト１をあまり屈曲させることなく容易に挿通させることができる構成としている。
【００３８】
また、この各ベルト通し孔12は、下部を横幅の広い幅広連結孔部15に形成して、この幅広連結孔部15に工具落下防止紐13の連結具14を連結し得るようにしている。即ち、ベルト通し孔12に前記ベルト１を挿通させた状態でも、幅広連結孔部15にはベルト１を邪魔にせずに工具落下防止紐13の連結具14を取付でき、この工具落下防止紐13による工具２の落下防止安全性を確保できる構成としている。
【００３９】
また、裏側板部６は、弾性を有する鋼板を採用し、この裏側板部６の下部を表側板部５の裏面側に向かって屈曲すると共に、この下部屈曲部17が常態で表側板部５の裏面側の下部に接触する構成としている。この下部屈曲部17は、ベルト１に対する抜脱防止部17として機能するもので、ベルト取付部２をベルト１に対して被嵌取付した場合には、この抜脱防止部17によって簡単にはベルト取付部２がベルト１の上方へ抜け外れない構成としている。
【００４０】
また、この裏側板部６の前記抜脱防止部17より下部は、その下端側ほど表側板部５の裏面より離れるように外方へ折曲形成して、この裏側板部６の下端部と表側板部５の下部との間の隙間からベルト１が案内されて表側板部５と裏側板部６との間にベルト１が挟み込まれる構成としている。
【００４１】
本実施例では、ベルト取付部２の前記表側板部５の内側面に、この表側板部５の外側面をプレス加工で凹ませることによって内側面を突出させた前記表側突起部７を形成し、この表側突起部７と対向状態にして前記裏側板部６の内側面に、この裏側板部６の外側面をプレス加工で凹ませることによって内側面を突出させた前記裏側突起部８を形成し、この表側突起部７と裏側突起部８の対向間隔を、前記ベルト１の厚みより小さく設定している。即ち、ベルト取付部２をベルト１に被嵌取付すると、この対向する表側突起部７と裏側突起部８とが前記ベルト１の表裏面に圧接して、ベルト１に対するベルト取付部２の位置ズレ防止作用が発揮される構成としている。
【００４２】
具体的には、表側板部５の外側面を平坦面状に凹ませて内側面が平坦面状に突出する前記表側突起部７を一体成形し、一方、同様に裏側板部６の外側面を平坦面状に凹ませて内側面が平坦面状に突出する前記裏側突起部８を一体成形している。従って、平坦面状の表側突起部７と裏側突起部８とがベルト１の表裏面を傷付けにくい構成としている。
【００４３】
また、表側突起部７は、横長方形状の突起に形成し、裏側突起部８は、円形状の突起に形成している。
【００４４】
本実施例では、表側板部５の外側面の横長方形状の前記凹所９に、商品名やメーカー名などの広告を表示した前記広告表示体11を付設している。
【００４５】
具体的には、広告表示体11は、凹所９と同形状の横長方形板状体とし、この広告表示体11の表面に商品名やメーカー名などの広告を表示し、裏面を前記凹所９に接着などの止着手段によって止着した構成としている。
【００４６】
尚、本考案は、本実施例に限られるものではなく、各構成要件の具体的構成は適宜設計し得るものである。
【符号の説明】
【００４７】
１  ベルト
２  ベルト取付部
３  工具
４  工具吊り部
５  表側板部
６  裏側板部
７  表側突起部
８  裏側突起部
９  凹所
10  凹所
11  広告表示体
12  ベルト通し孔
13  工具落下防止紐
15  幅広連結孔部
【図１】
0003171947.tif 000003
【図２】
0003171947.tif 000004
【図３】
0003171947.tif 000005
【図４】
0003171947.tif 000006